(57)【要約】【課題】外部機器が接続されたテレビジョン受信機において省電力化を可能にすることにある。【解決手段】テレビジョン放送受信装置は、アナログテレビジョン放送を受信するアナログユニットと、デジタルテレビジョン放送を受信するデジタルユニットと、外部機器を接続するための高速デジタルインターフェースと、上記アナログユニット及び上記デジタルユニットに電源を供給するための電源供給切替部と、を有し、該電源供給切替部は上記高速デジタルインターフェースを介して接続された拡張デジタル放送用アダプタへ選択的に電源を供給する。【選択図】  図１
2004221732.tif 000002
【特許請求の範囲】
【請求項１】
アナログテレビジョン放送を受信するアナログユニットと、デジタルテレビジョン放送を受信するデジタルユニットと、外部機器を接続するための高速デジタルインターフェースと、上記アナログユニット及び上記デジタルユニットに電源を供給するための電源供給切替部と、を有し、該電源供給切替部は上記高速デジタルインターフェースを介して接続された拡張デジタル放送用アダプタへ選択的に電源を供給することを特徴とするテレビジョン放送受信装置。
【請求項２】
請求項１記載のテレビジョン放送受信装置において、上記電源供給切替部は、上記デジタルユニットへの電源の供給と上記拡張デジタル放送用アダプタへの電源供給を連動して行うことを特徴とするテレビジョン放送受信装置。
【請求項３】
請求項１記載のテレビジョン放送受信装置において、上記電源供給切替部は、上記デジタルユニットへの電源の供給と上記拡張デジタル放送用アダプタへの電源供給を独立に行うことを特徴とするテレビジョン放送受信装置。
【請求項４】
請求項１記載のテレビジョン放送受信装置において、上記電源供給切替部は、デジタルテレビジョン放送を受信している時には上記デジタルユニットと上記拡張デジタル放送用アダプタへの電源供給を行い、デジタルテレビジョン放送を受信していない時には上記デジタルユニットと上記拡張デジタル放送用アダプタへ電源供給を行わないことを特徴とするテレビジョン放送受信装置。
【請求項５】
請求項１記載のテレビジョン放送受信装置において、上記電源供給切替部は、デジタルテレビジョン放送を受信している時に上記拡張デジタル放送用アダプタの接続不良又は非接続が検出された場合に、上記拡張デジタル放送用アダプタへの電源を供給しないことを特徴とするテレビジョン放送受信装置。
【請求項６】
請求項１記載のテレビジョン放送受信装置において、上記上記電源供給切替部は、上記デジタルユニットへの電源供給と連動してデジタル衛星放送アンテナへ電源供給を行うことを特徴とするテレビジョン放送受信装置。
【請求項７】
請求項１記載のテレビジョン放送受信装置において、上記高速デジタルインターフェース接続がＩＥＥＥ１３９４であるとき上記拡張デジタル放送用アダプタの受信可能放送以外のデジタル放送を受信する場合には、上記拡張デジタル放送用アダプタには電源供給を行わないことを特徴とするテレビジョン放送受信装置。
【請求項８】
請求項１記載のテレビジョン放送受信装置において、上記高速デジタルインターフェース接続がＩＥＥＥ１３９４であるとき上記拡張デジタル放送用アダプタの受信可能放送以外のデジタル放送を受信する場合には、上記拡張デジタル放送用アダプタのＩＥＥＥ１３９４コマンドの受信部のみに電源供給を行い、上記拡張デジタル放送用アダプタによってデジタル放送を受信するときは上記拡張デジタル放送用アダプタのタ本体に電源供給を行うことを特徴とするテレビジョン放送受信装置。
【請求項９】
請求項１記載のテレビジョン放送受信装置において、上記電源供給切替部と上記拡張デジタル放送アダプタの間を接続する制御線を設け、上記電源供給切替部は上記拡張デジタル放送アダプタより電源供給停止信号を受信したときには、上記拡張デジタル放送アダプタに電源供給を行わないことを特徴とするテレビジョン放送受信装置。
【請求項１０】
請求項１記載のテレビジョン放送受信装置において、上記電源供給切替部は、ユーザが入力操作を行ったときに、電源供給の制御を行うことを特徴とするテレビジョン放送受信装置。
【発明の詳細な説明】
【０００１】
【発明の属する技術分野】
本発明は、省電力機能を供えた電気機器に関し、特に、省電力機能を備え且つ外部機器に接続可能なテレビジョン放送受信装置に関する。
【０００２】
【従来の技術】
ビデオテープレコーダ等の外部機器が接続されたテレビジョン受信機の消費電力を削減するための省電力化技術が知られている。例えば、特開平１−２７７３８６号公報には、ビデオテープレコーダによる録画を行うまでは、ＢＳチューナの電源を切ることによって省電力化を行う技術が記載されている。
【０００３】
特開平６−８６２８１号公報には、ビデオテープレコーダ側で予約録画を行う時、本体側では録画開始時までビデオテープレコーダの映像信号を検出し続け、本体側の制御部以外の電源制御を行い省電力化を行う技術が記載されている。
【０００４】
特開平２００２−６３７４９号公報には、チューナで設定されている録画開始時間を予めビデオテープレコーダに知らせておき、録画開始まで本体側からの制御信号受信部の電源もＯＦＦにして、開始時間に受信部の電源をＯＮにすることによって省電力化を行うことが記載されている。
【０００５】
特開平１０−３３６５４８号公報及び特開平１１−２７５４８８公報には、現在の受信機の状態にて受信機内部の必要のない回路に対して、電源を供給しないことによって省電力化を行うことが記載されている。
【０００６】
【特許文献１】
特開平１−２７７３８６号公報
【特許文献２】
特開平６−８６２８１号公報
【特許文献３】
特開平２００２−６３７４９号公報
【特許文献４】
特開平１０−３３６５４８号公報
【特許文献５】
特開平１１−２７５４８８公報
【０００７】
【発明が解決しようとする課題】
しかしながら、上述の従来の技術では、テレビジョン受信機に接続された外部機器には、常に、電源が供給されている。従って、テレビジョン受信機に接続された外部機器に対して、例えば、予約録画等の制御を行う場合、外部機器は必ず電力を消費する。
本発明の目的は、このような従来の技術の状況に鑑みてなされたもので、外部機器が接続されたテレビジョン受信機において省電力化を可能にすることにある。
【０００８】
【課題を解決するための手段】
本発明によると、テレビジョン放送受信装置は、アナログテレビジョン放送を受信するアナログユニットと、デジタルテレビジョン放送を受信するデジタルユニットと、外部機器を接続するための高速デジタルインターフェースと、上記アナログユニット及び上記デジタルユニットに電源を供給するための電源供給切替部と、を有し、該電源供給切替部は上記高速デジタルインターフェースを介して接続された拡張デジタル放送用アダプタへ選択的に電源を供給する。
従って、テレビジョン放送受信装置に接続された拡張デジタル放送用アダプタの省電化が可能となる。
【０００９】
【発明の実施の形態】
図１を参照して本発明によるテレビジョン放送受信システムの第１の例を説明する。本例のテレビジョン放送受信システムは、アナログテレビジョン放送及びデジタルテレビジョン放送を受信するテレビジョン放送受信機１０と、ユーザの入力操作に基づいて赤外線信号を出力するリモートコントロール装置２と、家庭用のＡＣ電源である外部電源３と、ＢＳ／ＣＳデジタル放送等の衛星デジタル放送の電波を受信するための衛星デジタル放送アンテナ４と、アナログテレビジョン放送の電波を受信するためのＶＨＦ／ＵＨＦアンテナ５と、拡張デジタル放送アダプタ、即ち、地上波デジタル放送を受信するための地上波デジタル放送アダプタ６と、地上波デジタル放送の電波を受信するためのＵＨＦアンテナ７とを有する。
【００１０】
テレビジョン放送受信機１０は、受信部１１、操作部１２、システム制御部１３、電源供給切替部１４、アナログユニット１５、内部電源１６及びデジタルユニット１７を有する。
【００１１】
受信部１１は、リモートコントロール装置２からの赤外線信号をコード変換し、リモートコントロールコードをシステム制御部１３に出力する。操作部１２はユーザによる選局等の操作キーに基づいて、入力操作処理信号をシステム制御部１３に出力する。
【００１２】
システム制御部１３は受信部１１及び操作部１２からの入力操作処理信号を入力し、電源供給切替部１４、アナログユニット１５及びデジタルユニット１７と協同して、電源切替処理、選局処理等のテレビジョン放送受信機１０のシステム全体の処理を行う。
【００１３】
電源供給切替部１４は、システム制御部１３からの制御信号に基づいて、外部電源３からの電源を入力し、アナログユニット１５、内部電源１６及びデジタルユニット１７へ電源を供給する。電源供給切替部１４の例は図２及び図３を参照して説明する。
【００１４】
アナログユニット１５は、システム制御部１３からの制御信号に基づいて、ＶＨＦ／ＵＨＦアンテナ５からの電波及び電源供給切替部１４からの電源を入力し、アナログテレビジョン放送の受信を行うアナログテレビジョン放送受信装置である。アナログユニット１５の出力は図示しないディスプレイに送信される。
【００１５】
内部電源１６は、電源供給切替部１４から電源を入力し、地上波デジタル放送アダプタ６に電源を供給する。内部電源１６は、本例ではＤＣ電源装置であるが、他の種類の電源も可能である。
【００１６】
デジタルユニット１７は、システム制御部１３との間で制御信号を交換し、電源供給切替部１４から電源を入力し、衛星デジタル放送アンテナ４へ電源を供給し、衛星デジタル放送アンテナ４から衛星デジタル放送の電波を受信し、衛星デジタルテレビジョン放送の受信及び出力を行うデジタルテレビジョン放送受信装置である。デジタルユニット１７の出力は図示しないディスプレイに送信される。
【００１７】
デジタルユニット１７は、高速デジタルインターフェースを介して、地上波デジタル放送アダプタ６に接続されている。高速デジタルインターフェースとして、以下にＩＥＥＥ１３９４を例として説明する。デジタルユニット１７の詳細は図６を参照して説明する。
【００１８】
本例のテレビジョン放送受信システムはアナログ放送と３つの方式のデジタル放送を受信することができる。アナログ放送を受信する場合には、ＵＨＦ／ＶＨＦアンテナ５及びアナログユニット１５を使用する。ＢＳ／ＣＳデジタル放送のような衛星デジタル放送を受信する場合には、衛星デジタル放送アンテナ４とデジタルユニット１７を使用する。地上波デジタル放送を受信する場合には、ＵＨＦアンテナ７、地上波デジタル放送アダプタ６及びデジタルユニット１７を使用する。ＵＨＦアンテナ７からの出力の代わりにＵＨＦ／ＶＨＦアンテナ５からの出力を用いてもよい。
【００１９】
図１のテレビジョン放送受信機１０では、映像及び音声の出力系及びディスプレイ部に関する構成は省略されている。テレビジョン放送受信機１０は映像及び音声等を出力するのみのセットトップボックスでもよく、ディスプレイを有する内蔵受信機等であってもよい。
【００２０】
図１の例では、地上波デジタル放送アダプタ６を拡張デジタル放送アダプタとしてテレビジョン放送受信機１０に接続し、ＢＳ／ＣＳデジタル放送受信機をデジタルユニット１７としてテレビジョン放送受信機１０に内蔵する。しかしながら、これは一例であり、他の組み合わせも可能である。
【００２１】
例えば、地上波デジタル放送アダプタ６の代わりに、ＢＳ／ＣＳデジタル放送アダプタ、ＢＳデジタル放送アダプタ、ＣＳデジタル放送アダプタ、ＢＳ／地上波アダプタ、ＣＳ／地上波アダプタ等を拡張デジタル放送アダプタとして接続してもよい。それに対応して、デジタルユニット１７は、ＢＳ／ＣＳデジタル放送受信機の代わりに、それぞれ、地上波デジタル放送受信機、ＣＳ／地上波デジタル放送受信機、ＢＳ／地上波デジタル放送受信機、ＣＳデジタル放送受信機、ＢＳデジタル放送受信機等であってもよい。
【００２２】
図２を参照して電源供給切替部１４の第１の例を説明する。本例の電源供給切替部１４は衛星デジタル放送アンテナ電源供給用スイッチ１４１とデジタルユニット電源供給用スイッチ１４２を有する。衛星デジタル放送アンテナ電源供給用スイッチ１４１はシステム制御部１３からの制御信号に基づいてデジタルユニット１７を介して衛星デジタル放送アンテナ４に電源供給を行う。デジタルユニット電源供給用スイッチ１４２はシステム制御部１３からの制御信号に基づいてデジタルユニット１７と内部電源１６に電源供給を行う。内部電源１６に供給された電源は地上波デジタル放送アダプタ６に供給される。アナログユニット１５には常時電源が供給されている。
【００２３】
本例によると、デジタルユニット電源供給用スイッチ１４２によって、デジタルユニット１７と地上波デジタル放送アダプタ６に同時に電源が供給され、同時に電源供給が切断される。言い換えれば、デジタルユニット１７への電源供給と地上波デジタル放送アダプタ６への電源供給は連動して制御される。
【００２４】
本例によると、衛星デジタル放送アンテナ電源供給用スイッチ１４１とデジタルユニット電源供給用スイッチ１４２は、連動するように構成されてよいが、独立に動作するように構成されてもよい。ここでは、両スイッチ１４１、１４２が独立に動作する場合について説明する。
【００２５】
図１０Ａに示すように、地上波デジタル放送のみを受信する場合には、衛星デジタル放送アンテナ４へは電源を供給する必要はないが、デジタルユニット１７及び地上波デジタル放送アダプタ６へは電源を供給する必要がある。従って図１０Ｂに示すように、衛星デジタル放送アンテナ電源供給用スイッチ１４１をＯＦＦにし、デジタルユニット電源供給用スイッチ１４２をＯＮにする。それによって、衛星デジタル放送アンテナ４へ供給する電力が削減される。
【００２６】
図１０Ａに示すように、衛星デジタル放送のみを受信する場合には、地上波デジタル放送アダプタ６へは電源を供給する必要はないが、衛星デジタル放送アンテナ４及びデジタルユニット１７へは電源を供給する必要がある。従って図１０Ｂに示すように、衛星デジタル放送アンテナ電源供給用スイッチ１４１及びデジタルユニット電源供給用スイッチ１４２をＯＮにする。
【００２７】
図１及び図２を参照して、本例のテレビジョン放送受信機１０の第１の例の動作を説明する。特に、デジタル放送とアナログ放送の間の切り替え、デジタル放送及びアナログ放送の受信の停止について説明する。デジタル放送とアナログ放送の間の切り替えは、ユーザの入力操作、予約録画の開始、タイマーの作動等によって生ずる。デジタル放送やアナログ放送の受信の停止は、ユーザの入力操作、予約録画の終了、タイマーの作動等によって生ずる。これらの動作は、システム制御部１３からの制御信号によってなされる。
【００２８】
テレビジョン放送受信機１０の電源がＯＮのときに、デジタル放送の受信が行われる場合、電源供給切替部１４の衛星デジタル放送アンテナ電源供給用スイッチ１４１及びデジタルユニット電源供給用スイッチ１４２はＯＮとなり、衛星デジタル放送アンテナ４、デジタルユニット１７及び地上波デジタル放送アダプタ６へ電源が供給される。
【００２９】
デジタル放送の受信中に、ユーザの入力操作等によって、アナログ放送の受信がなされ又はデジタル放送の受信が停止されると、電源供給切替部１４の衛星デジタル放送アンテナ電源供給用スイッチ１４１及びデジタルユニット電源供給用スイッチ１４２はＯＦＦとなり、衛星デジタル放送アンテナ４、デジタルユニット１７及び地上波デジタル放送アダプタ６への電源供給が停止される。
【００３０】
テレビジョン放送受信機１０の電源がＯＮのときに、アナログ放送の受信が行われる場合、電源供給切替部１４の衛星デジタル放送アンテナ電源供給用スイッチ１４１及びデジタルユニット電源供給用スイッチ１４２はＯＦＦとなり、衛星デジタル放送アンテナ４、デジタルユニット１７及び地上波デジタル放送アダプタ６への電源供給は停止される。
【００３１】
アナログ放送の受信中に、ユーザの入力操作等によって、デジタル放送の受信が行われ又はアナログ放送の受信が停止されると、電源供給切替部１４の衛星デジタル放送アンテナ電源供給用スイッチ１４１及びデジタルユニット電源供給用スイッチ１４２はＯＮとなり、衛星デジタル放送アンテナ４、デジタルユニット１７及び地上波デジタル放送アダプタ６へ電源が供給される。
【００３２】
ユーザがテレビジョン放送受信機１０の電源をＯＮにして、入力操作を開始するとき、電源供給切替部１４の衛星デジタル放送アンテナ電源供給用スイッチ１４１及びデジタルユニット電源供給用スイッチ１４２は、電源がＯＦＦの時の状態より開始されてよいが、電源供給切替部１４の衛星デジタル放送アンテナ電源供給用スイッチ１４１及びデジタルユニット電源供給用スイッチ１４２が常にＯＮの状態より開始されるように構成してもよい。それによって、デジタル放送の選局動作を早くすることができる。
【００３３】
デジタル放送やアナログ放送の受信の開始及び停止は、ユーザの入力操作によってなされるが、入力操作の例として、チャンネルアップダウン、ダイレクト選局等がある。
【００３４】
チャンネルアップダウン方法によると、ユーザがチャンネルアップボタン又はチャンネルダウンボタンを押すことによって、放送チャンネルが連続的に切り替わる。放送チャンネルを不連続的に切り替えることはできない。例えば、アナログ放送チャンネルの次にデジタル放送チャンネルが配置されている場合、アナログ放送の最終のチャンネルからデジタル放送の最初のチャンネルに切り替わるときに、アナログ放送からデジタル放送への切り替えが起きる。
【００３５】
またダイレクト選局によると、ユーザが所望のチャンネルボタン、数字キー等を押すことによって、所望の放送チャンネルに直接切り替わる。従って、アナログ放送チャンネルからデジタル放送チャンネルへ切り替えることによってアナログ放送からデジタル放送へ直接切替が生ずる。逆に、デジタル放送チャンネルからアナログ放送チャンネルへ切り替えることによって、デジタル放送からアナログ放送へ直接切替が生じる。
【００３６】
ダイレクト選局方法では、リモートコントロール装置２に設けられたデジタル放送／アナログ放送切替ボタン、放送切替ボタン、数字キー等を操作することによって選局を行う。放送切替ボタンは、例えば、地上波デジタル放送アダプタ６を装着していない場合には、アナログテレビジョン放送、ＢＳデジタル放送及びＣＳデジタル放送を順次選択するように構成され、地上波デジタル放送アダプタ６を装着した場合には、アナログテレビジョン放送、ＢＳデジタル放送、ＣＳデジタル放送及び地上波デジタル放送を順次選択するように構成される。
また、多画面表示による複数チャンネルの同時受信、予約によるデジタル放送受信等も可能であるように構成してよい。
【００３７】
図３を参照して電源供給切替部１４の第２の例を説明する。本例の電源供給切替部１４は衛星デジタル放送アンテナ電源供給用スイッチ１４１とデジタルユニット電源供給用スイッチ１４２と地上波デジタル放送アダプタ電源供給用スイッチ１４３とを有する。本例の電源供給切替部１４は、図２に示した電源供給切替部１４の第１の例と比較すると、地上波デジタル放送アダプタ電源供給用スイッチ１４３を設けた点が異なる。従って、第１の例と同一の部分の説明は省略し、異なる部分のみを説明する。
【００３８】
地上波デジタル放送アダプタ電源供給用スイッチ１４３はシステム制御部１３からの制御信号に基づいて内部電源１６を介して地上波デジタル放送アダプタ６に電源供給を行う。地上波デジタル放送アダプタ６への電源供給は、デジタルユニット電源供給用スイッチ１４２がＯＮの場合にのみ可能である。
【００３９】
本例によると、地上波デジタル放送アダプタ電源供給用スイッチ１４３を設けたことによって、デジタルユニット１７への電源供給及び電源供給停止と地上波デジタル放送アダプタ６への電源供給及び電源供給停止は、互いに独立的になされる。言い換えれば、デジタルユニット１７への電源供給と地上波デジタル放送アダプタ６への電源供給は連動していない。
【００４０】
図１０Ａに示すように、地上波デジタル放送のみを受信する場合には、衛星デジタル放送アンテナ４へは電源を供給する必要はないが、デジタルユニット１７及び地上波デジタル放送アダプタ６へは電源を供給する必要がある。従って図１０Ｃに示すように、衛星デジタル放送アンテナ電源供給用スイッチ１４１をＯＦＦにし、デジタルユニット電源供給用スイッチ１４２及び地上波デジタル放送アダプタ電源供給用スイッチ１４３をＯＮにする。それによって、衛星デジタル放送アンテナ４へ供給する電力が削減される。
【００４１】
図１０Ａに示すように、衛星デジタル放送のみを受信する場合には、地上波デジタル放送アダプタ６へは電源を供給する必要はないが、衛星デジタル放送アンテナ４及びデジタルユニット１７へは電源を供給する必要がある。従って、図１０Ｃに示すように、衛星デジタル放送アンテナ電源供給用スイッチ１４１及びデジタルユニット電源供給用スイッチ１４２をＯＮにし、地上波デジタル放送アダプタ電源供給用スイッチ１４３をＯＦＦにする。それによって、地上波デジタル放送アダプタ６へ供給する電力が削減される。しかしながら、この場合、地上波デジタル放送を受信する場合には、選局処理に時間がかかる。
【００４２】
図３に示した電源供給切替部１４の第２の例では以下のような制御が可能である。地上波デジタル放送を受信しているときに、次の２つの場合に、地上波デジタル放送アダプタ電源供給用スイッチ１４３のスイッチをＯＦＦとし、地上波デジタル放送アダプタ６への電源供給を停止する。先ず第１の場合は、システム制御部１３からのコマンドをＩＥＥＥ１３９４インターフェースを介して地上波デジタル放送アダプタ６へ送信したにも拘わらず、それに対する応答が地上波デジタル放送アダプタ６より送信されない場合である。第２の場合は、デジタルユニット１７と地上波デジタル放送アダプタ６の間のＩＥＥＥ１３９４ケーブルの接続不良又は非接続又は内部電源１６と地上波デジタル放送アダプタ６の間の接続不良又は非接続が検出された場合である。
【００４３】
この場合、地上波デジタル放送アダプタ電源供給用スイッチ１４３のスイッチをＯＦＦとした後に、デジタルユニット１７と地上波デジタル放送アダプタ６の間の接続が回復し又は内部電源１６と地上波デジタル放送アダプタ６の間の接続が回復した場合には、地上波デジタル放送アダプタ電源供給用スイッチ１４３のスイッチをＯＮとし、地上波デジタル放送アダプタ６へ電源を供給する。
第２の場合、上述の接続不良又は非接続を検出するための適当な装置を設ける必要がある。
【００４４】
図４を参照して地上波デジタル放送アダプタ６の例を説明する。本例の地上波デジタル放送アダプタ６は、コマンド処理部６１と地上波デジタル放送復調部６２とを有する。コマンド処理部６１と地上波デジタル放送復調部６２は内部電源１６からの電源供給を受ける。
【００４５】
コマンド処理部６１は、ＩＥＥＥ１３９４インターフェースを介して、デジタルユニット１７との間でコマンドの送受信を行う。地上波デジタル放送復調部６２は、コマンド処理部６１から選局指示等のコマンドを受信し、ＵＨＦアンテナ７からの地上波デジタル放送信号を復調し、ＴＳＰ（Ｔｒａｎｓｐｏｒｔ  Ｓｔｒｅａｍ  Ｐａｃｋｅｔ）を出力する。コマンド処理部６１は、地上波デジタル放送復調部６２からＴＳＰを入力し、それを、ＩＥＥＥ１３９４インターフェースを介してデジタルユニット１７に送信する。
【００４６】
図５を参照して地上波デジタル放送アダプタ６の第２の例を説明する。本例の地上波デジタル放送アダプタ６は、コマンド処理部６１と地上波デジタル放送復調部６２と地上波デジタル放送復調部電源供給スイッチ６３とを有する。本例のデジタル放送アダプタ６は、図４のデジタル放送アダプタ６と比較して、コマンド処理部６１からの制御信号に基づいて動作する地上波デジタル放送復調部電源供給スイッチ６３を設けた点が異なる。
【００４７】
本例では、コマンド処理部６１は常に内部電源１６から電源供給を受けるが、地上波デジタル放送復調部６２は地上波デジタル放送復調部電源供給スイッチ６３ばＯＮのときのみ内部電源１６から電源供給を受ける。コマンド処理部６１は、デジタルユニット１７から地上波デジタル放送の受信をＯＮにする制御信号を入力したときは、地上波デジタル放送復調部電源供給スイッチ６３をＯＮにする信号を生成し、デジタルユニット１７から地上波デジタル放送の受信をＯＦＦにする制御信号を入力したときは、地上波デジタル放送復調部電源供給スイッチ６３をＯＦＦにする信号を生成する。
【００４８】
こうして本例では、地上波デジタル放送を受信しないときには、地上波デジタル放送復調部電源供給スイッチ６３へ電源を供給しないため、省電力化が可能となる。また、地上波デジタル放送復調部電源供給スイッチ６３にＯＮ又はＯＦＦの信号を供給するだけで地上波デジタル放送の選局を実行することができるから選局速度を上げることも可能である。
【００４９】
図６を参照してデジタルユニット１７の例を説明する。本例のデジタルユニット１７はフロントエンド部１７１、バックエンド部１７２、ＩＥＥＥ１３９４インターフェース部１７３及び入力切替スイッチ１７４を有する。図６は、入力切替スイッチ１７４によって地上波デジタル放送アダプタ６からの入力とフロントエンド部１７１からの入力を切り替える動作を説明するために必要な部分のみを図示している。
【００５０】
フロントエンド部１７１は、衛星デジタル放送アンテナ４からの衛星デジタル放送電波を受信し、システム制御部１３から選局命令に基づいてチャンネルを選局し、ＴＳＰや制御信号等を入力切替スイッチ１７４へ出力する。また、電源供給切替部１４から衛星デジタル放送アンテナ用電源を入力し、それを衛星デジタル放送アンテナ４へ供給する。
【００５１】
ＩＥＥＥ１３９４インターフェース部１７３は、システム制御部１３との間で制御信号を交換し、それに基づいて地上波デジタル放送アダプタ６からＩＥＥＥ１３９４インターフェースを介してＴＳＰを入力し、コマンドの送受信を行い、フロントエンド部１７１の出力と同じ形式の信号を入力切替スイッチ１７４へ出力する。
【００５２】
バックエンド部１７２は、入力切替スイッチ１７４を介して、フロントエンド部１７１又はＩＥＥＥ１３９４インターフェース部１７３からのＴＳＰを入力し、システム制御部１３から要求される映像や音声、ＰＳＩ／ＳＩ情報などのパケットを分離し、デコードを行い、映像、音声などを出力し、選局用のデータをシステム制御部１３に送る。
【００５３】
図７、図８、及び図９を参照して本発明によるテレビジョン放送受信システムの第２の例について説明する。図７を参照して本例のテレビジョン放送受信機１０の第２の例を説明する。本例のテレビジョン放送受信システムは、図１の第１の例と比較して、電源供給切替部１４が地上波デジタル放送アダプタ６から制御信号を入力する点が異なる。従って、本例のテレビジョン放送受信システムでは、電源供給切替部１４及び地上波デジタル放送アダプタ６の構成が異なる。以下に、第１の例と同一の部分の説明は省略し、異なる部分のみを説明する。
【００５４】
図８を参照して図７のテレビジョン放送受信機１０の第２の例に用いられている電源供給切替部１４の例を説明する。本例の電源供給切替部１４は、図３に示した電源供給切替部１４の第２の例と比較すると、地上波デジタル放送アダプタ電源供給用スイッチ１４３はシステム制御部１３からの制御信号ばかりでなく地上波デジタル放送アダプタ６からの制御信号も入力する点が異なる。尚、地上波デジタル放送アダプタ電源供給用スイッチ１４３は、地上波デジタル放送アダプタ６からの制御信号のみを入力するように構成してもよい。
【００５５】
図９を参照して図７のテレビジョン放送受信機１０の第２の例に用いられているデジタル放送アダプタ６の例を説明する。本例のデジタル放送アダプタ６は、図５のデジタル放送アダプタ６と比較して、コマンド処理部６１は電源供給切替部１４に制御信号を出力する点が異なる。
【００５６】
次に図７のテレビジョン放送受信機１０の第２の例の動作について説明する。内部電源１６への電源供給が突然ＯＦＦになった場合のように、地上波デジタル放送アダプタ６は不安定な状態で電源が切れる場合がある。本例では、地上波デジタル放送アダプタ電源供給用スイッチ１４３のみをＯＦＦにする場合、先ず、システムシ制御部１３よりデジタルユニット１７の１３９４インターフェース部１７３へ地上波デジタル放送アダプタ６の電源をＯＦＦにする命令を送信する。電源ＯＦＦ信号はＩＥＥＥ１３９４インターフェースを介して地上波デジタル放送アダプタ６のコマンド処理部６１に供給される。地上波デジタル放送アダプタ６のコマンド処理部６１は、地上波デジタル放送復調部６２が電源ＯＦＦ可能な状態にあることを確認してから、電源供給切替部１４に地上波デジタル放送アダプタ６の電源ＯＦＦが可能である旨の制御信号を送信する。電源供給切替部１４は地上波デジタル放送アダプタ６からの電源ＯＦＦ可能の制御信号を受信すると、地上波デジタル放送アダプタ電源供給用スイッチ１４３をＯＦＦにする。それによって地上波デジタル放送アダプタ６の安定な電源ＯＦＦの動作が可能となる。
【００５７】
ＩＥＥＥ１３９４インターフェースによって、デジタルユニット１７と地上波デジタル放送アダプタ６の双方向のコマンド処理信号の交信が可能となるが、地上波デジタル放送アダプタ６から電源供給切替部１４へ直接制御線を設ける場合には、デジタルユニット１７と地上波デジタル放送アダプタ６の間のインターフェースは、デジタルユニット１７から地上波デジタル放送アダプタ６への一方向のみが可能であるものであってもよい。
【００５８】
以上、本発明の例を説明したが、本発明は上述の例に限定されるものではなく、特許請求の範囲に記載された発明の範囲にて様々な変形が可能であることは当業者に理解されよう。
【００５９】
【発明の効果】
本発明によると、拡張デジタル放送用アダプタが接続されたテレビジョン放送受信機において、省電力化が実現できる効果がある。
【図面の簡単な説明】
【図１】本発明によるテレビジョン放送受信システムの第１の例を示すブロック図である。
【図２】本発明によるテレビジョン放送受信システムの電源供給切替部の第１の例を示すブロック図である。
【図３】本発明によるテレビジョン放送受信システムの電源供給切替部の第２の例を示すブロック図である。
【図４】本発明によるテレビジョン放送受信システムの地上波デジタル放送アダプタの第１の例を示すブロック図である。
【図５】本発明によるテレビジョン放送受信システムの地上波デジタル放送アダプタの第２の例を示すブロック図である。
【図６】本発明によるテレビジョン放送受信システムのデジタルユニットの例を示すブロック図である。
【図７】本発明によるテレビジョン放送受信システムの第２の例を示すブロック図である。
【図８】本発明によるテレビジョン放送受信システムの第２の例の電源供給切替部を示すブロック図である。
【図９】本発明によるテレビジョン放送受信システムの第２の例の地上波デジタル放送アダプタを示すブロック図である。
【図１０】本発明によるテレビジョン放送受信システムの電源供給切替部の動作を説明するための説明図である。
【符号の説明】
２…リモートコントロール装置、３…外部電源、４…衛星デジタル放送アンテナ、５…ＶＨＦ／ＵＨＦアンテナ、６…地上波デジタル放送アダプタ、７…ＵＨＦアンテナ、１０…テレビジョン放送受信機、１１…受信部、１２…操作部、１３…システム制御部、１４…電源供給切替部、１５…アナログユニット、１６…内部電源、１７…デジタルユニット、６１…コマンド処理部、６２…地上波デジタル放送復調部、６３…地上波デジタル放送復調部電源供給スイッチ、１４１…衛星デジタル放送アンテナ電源供給用スイッチ、１４２…デジタルユニット電源供給用スイッチ、１４３…地上波デジタル放送アダプタ電源供給用スイッチ、１７１…フロントエンド部、１７２…バックエンド部、１７３…１３９４インターフェース部、１７４…入力切替スイッチ、
【図１】
2004221732.tif 000003
【図２】
2004221732.tif 000004
【図３】
2004221732.tif 000005
【図４】
2004221732.tif 000006
【図５】
2004221732.tif 000007
【図６】
2004221732.tif 000008
【図７】
2004221732.tif 000009
【図８】
2004221732.tif 000010
【図９】
2004221732.tif 000011
【図１０】
2004221732.tif 000012